【手続補正書】
【提出日】平成29年9月21日(2017.9.21)
【手続補正１】
【補正対象書類名】特許請求の範囲
【補正対象項目名】全文
【補正方法】変更
【補正の内容】
【特許請求の範囲】
【請求項１】
トレイに保持されたメディアにプリントを行うプリント装置であって、
第１搬送ローラを有する第１ローラ部と、
第２搬送ローラおよびピンチローラを有する第２ローラ部と、
前記第１ローラ部と前記第２ローラ部との間に設けられたプリント部と、
を備え、
前記トレイが前記第１ローラ部と前記第２ローラ部とによって搬送されながら、前記プリント部で前記メディアの表面にプリントを行うものであり、
前記トレイは、第１領域と、前記第１領域の摩擦係数よりも大きい摩擦係数を有する第２領域と、を含み、
前記第１領域および前記第２領域は、前記第１搬送ローラと接触する表面の側において前記トレイの搬送方向に並んでおり、
前記第１ローラ部によって前記トレイが導入されて前記第２搬送ローラと前記ピンチローラとの間の狭持部に前記トレイの先端が進入するときに前記第１搬送ローラと接触する部分に、前記第２領域が設けられていることを特徴とするプリント装置。
【請求項２】
前記トレイが導入された方向とは逆方向に前記トレイを搬送しながら前記プリント部で前記メディアの表面にプリントを行うことを特徴とする請求項１に記載のプリント装置。
【請求項３】
前記メディアが前記プリント部と対向しているときは、前記第１ローラ部は前記第２領域と非接触となるように前記第２領域が設けられていることを特徴とする請求項１または２に記載のプリント装置。
【請求項４】
前記トレイの先端から前記第２領域の近い側の端部までの距離は、前記第１ローラ部が前記トレイと接触する位置から前記狭持部までの距離よりも小さいことを特徴とする請求項１から３のいずれか１項に記載のプリント装置。
【請求項５】
前記トレイの先端から前記第２領域の遠い側の端部までの距離は、前記第１ローラ部が前記トレイと接触する位置から前記狭持部までの距離よりも大きいことを特徴とする請求項１から４のいずれか１項に記載のプリント装置。
【請求項６】
前記トレイの導入を開始するセット位置に前記トレイをセットしたときに、前記トレイの先端から前記第２領域の近い側までの距離は、前記第１ローラ部が前記トレイと接触する位置から前記トレイの先端までの距離よりも小さいことを特徴とする請求項１から５のいずれか１項に記載のプリント装置。
【請求項７】
前記トレイの導入を開始するセット位置に前記トレイをセットしたときに、前記トレイの先端は前記狭持部と前記第１ローラ部との間に位置付けられ、且つ、前記第２領域は前記第１搬送ローラと接触するように前記第２領域が設けられていることを特徴とする請求項１から６のいずれか１項に記載のプリント装置。
【請求項８】
前記トレイに保持された前記メディアの表面に前記プリント部がプリントを行うことが可能なときは、前記第１ローラ部は前記第２領域と非接触であるように前記第２領域が設けられていることを特徴とする請求項１から７のいずれか１項に記載のプリント装置。
【請求項９】
前記トレイには凹部が形成されており、前記凹部には前記第１領域の摩擦係数よりも大きい摩擦係数を有する部材が取り付けられており、前記部材は前記凹部から突出していないことを特徴とする請求項１から８のいずれか１項に記載のプリント装置。
【請求項１０】
前記第１搬送ローラは、回転軸の方向に沿って間隔を持って配列された複数のローラに分かれて構成されており、前記トレイには複数の凹部が形成されており、前記凹部は前記複数のローラのそれぞれに対応する位置に形成されていることを特徴とする請求項９に記載のプリント装置。
【請求項１１】
請求項１から１０のいずれか一項に記載のプリント装置に用いられる、メディアを保持するように構成されたトレイ。
【請求項１２】
メディアを保持したトレイを搬送する搬送装置であって、
第１搬送ローラを有する第１ローラ部と、
第２搬送ローラおよびピンチローラを有する第２ローラ部と、
を備え、
前記トレイは、第１領域と、前記第１領域の摩擦係数よりも大きい摩擦係数を有する第２領域と、を含み、
前記第１領域および前記第２領域は、前記第１搬送ローラと接触する表面の側において前記トレイの搬送方向に並んでおり、
前記第１ローラ部によって前記トレイが導入されて前記第２搬送ローラと前記ピンチローラとの間の狭持部に前記トレイの先端が進入するときに前記第１搬送ローラと接触している部分に、前記第２領域が設けられていることを特徴とする搬送装置。
【請求項１３】
前記第１搬送ローラは、回転軸の方向に沿って間隔を持って配列された複数のローラに分かれて構成されており、
前記トレイは、前記トレイの搬送方向において両側よりも大きい摩擦係数を有し且つ前記トレイの搬送方向に交差する方向に配列された複数の前記第２領域を、前記第２領域の摩擦係数よりも小さい摩擦係数を有する領域を間に置き且つ前記複数のローラに対応するように、含むことを特徴とする請求項１から１０のいずれか一項に記載のプリント装置。
【請求項１４】
前記プリント装置の前記第１搬送ローラは、回転軸の方向に沿って間隔を持って配列された複数のローラに分かれて構成されており、
前記トレイは、前記トレイの搬送方向において両側よりも大きい摩擦係数を有し且つ前記トレイの搬送方向に交差する方向に配列された複数の前記第２領域を、前記第２領域の摩擦係数よりも小さい摩擦係数を有する領域を間に置き且つ前記複数のローラに対応するように、含むことを特徴とする請求項１１に記載のトレイ。
【請求項１５】
前記第１搬送ローラは、回転軸の方向に沿って間隔を持って配列された複数のローラに分かれて構成されており、
前記トレイは、前記トレイの搬送方向において両側よりも大きい摩擦係数を有し且つ前記トレイの搬送方向に交差する方向に配列された複数の前記第２領域を、前記第２領域の摩擦係数よりも小さい摩擦係数を有する領域を間に置き且つ前記複数のローラに対応するように、含むことを特徴とする請求項１２に記載の搬送装置。
【手続補正２】
【補正対象書類名】明細書
【補正対象項目名】０００８
【補正方法】変更
【補正の内容】
【０００８】
上述のような課題を解決するため、本発明のプリント装置は、トレイに保持されたメディアにプリントを行うプリント装置であって、第１搬送ローラを有する第１ローラ部と、第２搬送ローラおよびピンチローラを有する第２ローラ部と、前記第１ローラ部と前記第２ローラ部との間に設けられたプリント部と、を備え、前記トレイが前記第１ローラ部と前記第２ローラ部とによって搬送されながら、前記プリント部で前記メディアの表面にプリントを行うものであり、前記トレイは、第１領域と、前記第１領域の摩擦係数よりも大きい摩擦係数を有する第２領域と、を含み、前記第１領域および前記第２領域は、前記第１搬送ローラと接触する表面の側において前記トレイの搬送方向に並んでおり、前記第１ローラ部によって前記トレイが導入されて前記第２搬送ローラと前記ピンチローラとの間の狭持部に前記トレイの先端が進入するときに前記第１搬送ローラと接触する部分に、前記第２領域が設けられていることを特徴とする。
【手続補正３】
【補正対象書類名】明細書
【補正対象項目名】００３４
【補正方法】変更
【補正の内容】
【００３４】
次に、より好ましい構成を説明する。ラインＪ、ＫおよびＭ、ならびに距離Ｕ、ＷおよびＺをそれぞれ以下のように定義する。 
ラインＪ：  搬送トレイ１に搭載されたメディアＤの搬送トレイ１の先端から近い側の端部の、搬送トレイ１における位置を示すライン。 
ラインＫ：  搬送トレイ１に搭載されたメディアＤの搬送トレイ１の先端から近い側の端部の、搬送トレイ１に搭載されたメディアＤに対して最終ラインをプリントする際の、プリント装置４内における位置を示すライン。 
ラインＭ：  ユーザーが搬送トレイ１をセット位置まで挿入したときに搬送トレイ１の先端が到達する、プリント装置４内における位置を示すライン。 
距離Ｕ：  第２の排紙ローラ１９とラインＭとの間の距離。 
距離Ｗ：  第２の排紙ローラ１９とラインＫとの間の距離。 
距離Ｚ：  搬送トレイ１に搭載されたメディアＤの搬送トレイ１の先端から近い側の端部（ラインＪ）から、高摩擦部材３の搬送トレイ１の先端から遠い側の端部までの距離。